(57)【要約】【課題】主に、蓄電池と蓄電池とを接続する配線を覆う配線保護管に物理的な力が加わった場合でも、配線保護管や配線を有効に保護し得るようにする。【解決手段】蓄電池３と蓄電池３とを接続する配線９を配線保護管１０で覆った蓄電池３の配線保護管設置構造に関する。  配線保護管１０が、蓄電池３に対し、斜め下向きに傾けて取付けられている。  斜め下向きに傾けられた配線保護管１０は、最下部２１が床面２２に接地されている。  配線保護管１０は、接続端３１が斜めになっていても良い。  配線保護管１０は、蛇腹状になっていても良い。【選択図】図４
2020173974.tif 000002
【特許請求の範囲】
【請求項１】
蓄電池と蓄電池とを接続する配線を配線保護管で覆った蓄電池の配線保護管設置構造であって、
前記配線保護管が、前記蓄電池に対し、斜め下向きに傾けて取付けられており、斜め下向きに傾けられた前記配線保護管は、最下部が床面に接地されていることを特徴とする蓄電池の配線保護管設置構造。
【請求項２】
請求項１に記載の蓄電池の配線保護管設置構造であって、
前記配線保護管は、斜めの接続端を有していることを特徴とする蓄電池の配線保護管設置構造。
【請求項３】
請求項１または請求項２に記載の蓄電池の配線保護管設置構造であって、
前記配線保護管は、蛇腹状になっていることを特徴とする蓄電池の配線保護管設置構造。
【発明の詳細な説明】
【技術分野】
【０００１】
この発明は、蓄電池の配線保護管設置構造に関するものである。
【背景技術】
【０００２】
住宅などの建物には、太陽光発電装置を備えたものが存在している。そして、太陽光発電装置で発電した電力を有効に活用するためには、蓄電池を設けるのが好ましい（例えば、特許文献１参照）。
【０００３】
蓄電池を備えることで、例えば、太陽光発電装置で昼間に発電した電力を蓄電池に蓄えておいて太陽光発電装置が作動しない夜間に使用することができる。また、太陽光発電装置が悪天候などで昼間に十分な発電ができない場合や停電時などに、蓄電池に蓄えておいた電力を使用することができる。
【先行技術文献】
【特許文献】
【０００４】
【特許文献１】特開２０１３−１３１４１６号公報
【発明の概要】
【発明が解決しようとする課題】
【０００５】
しかしながら、上記特許文献１に記載された蓄電池の設置構造では、蓄電池を建物の外部に設置された筐体の内部に隔離状態で収容することが前提となっていたため、特に問題にならなかったが、住人によるアクセスが発生し易い場所、例えば、建物の内部などに蓄電池を設置しようとした場合には、蓄電池の配線や配線を保護する配線保護管に想定外の物理的な力が加えられてしまう可能性があるため、その対策が必要になる。
【０００６】
そこで、本発明は、主に、上記した問題点を解決することを目的としている。
【課題を解決するための手段】
【０００７】
上記課題を解決するために、本発明は、
蓄電池と蓄電池とを接続する配線を配線保護管で覆った蓄電池の配線保護管設置構造であって、
前記配線保護管が、前記蓄電池に対し、斜め下向きに傾けて取付けられており、斜め下向きに傾けられた前記配線保護管は、最下部が床面に接地されていることを特徴とする。
【発明の効果】
【０００８】
本発明によれば、上記構成によって、蓄電池と蓄電池とを接続する配線を覆う配線保護管に物理的な力が加わった場合でも、配線保護管や配線を有効に保護することなどができる。
【図面の簡単な説明】
【０００９】
【図１】本実施の形態にかかる蓄電池を有する建物の電気設備の系統図である。
【図２】図１の蓄電池の配線保護管設置構造を示す斜視図である。
【図３】図２の平面図である。
【図４】図２の正面図である。
【図５】図２の側面図である。
【図６】（ａ）は配線保護管の端部のコネクタを示す図、（ｂ）は配線保護管の本体の端部を示す図、（ｃ）は配線保護管の本体の端部にコネクタを取付ける状態を示す図である。
【図７】配線保護管に物理的な力が加えられた状態を示す図４と同様の正面図である。
【図８】比較例にかかる蓄電池の配線保護管設置構造の図４および図７と同様の正面図である。このうち、（ａ）は物理的な力が加えられる前の状態、（ｂ）は物理的な力が加えられた状態である。
【発明を実施するための形態】
【００１０】
以下、本実施の形態を、図面を用いて詳細に説明する。
【実施例１】
【００１１】
＜構成＞以下、構成について説明する。
【００１２】
図１に示すように、住宅などの建物１に、太陽光発電装置２を備える。そして、太陽光発電装置２で発電した電力を蓄えるなどのために蓄電池３を設ける。
【００１３】
太陽光発電装置２は、例えば、太陽光発電パネルとすることができる。太陽光発電パネルは、屋外の屋根などに設置される。蓄電池３は、ほぼ直方体状のものなどとされる。太陽光発電装置２と蓄電池３との間には、パワコンなどと呼ばれる制御器４が設けられる。制御器４には、電力会社の商用電源などの電力系統５が接続される。また、制御器４には、一般分電盤６ａや、自立用分電盤６ｂや、リモコン８などを適宜接続することができる。一般分電盤６ａと自立用分電盤６ｂとの間には、切替開閉器７が設けられる。通常時や停電時などには、切替開閉器７によって、図に示すように自立用分電盤６ｂは制御器４側に切り替えられ、メンテナンス時や蓄電池３の故障時などには切替開閉器７によって、自立用分電盤６ｂは一般分電盤６ａ側に切り替えられる。制御器４や一般分電盤６ａや自立用分電盤６ｂや切替開閉器７やリモコン８などは屋内に設置される。なお、建物１に対する電気設備の構成は、上記に限るものではない。
【００１４】
そして、必要に応じて、蓄電池３を複数設置し、蓄電池３と蓄電池３との間を配線９で接続する。この配線９を配線保護管１０で覆うことで、蓄電池３の配線保護管設置構造を構成する。配線９は、例えば、電力線や通信線やアースなどとすることができる。配線９は配線保護管１０の内部に通される。
【００１５】
（１）図２（〜図５）に示すように、蓄電池３の配線保護管設置構造では、配線保護管１０が、蓄電池３に対し、斜め下向きに傾けて取付けられるようにしている（傾斜状配線保護管）。
【００１６】
ここで、配線保護管１０は、蓄電池３の周面を構成する一対の第一の側面（側面３ａ）および一対の第二の側面（前後面３ｃ）のうちの側面３ａの下部における、蓄電池３の底面３ｂよりも若干高い位置（例えば、５０ｍｍ〜７０ｍｍの範囲内の高さなど、この実施例では６０ｍｍとなっている）に取付けられるようになっている。この配線保護管１０は、隣接配置された蓄電池３の両側面３ａ間に、蓄電池３に設けた接続部１１どうしを繋ぐように設けられる。複数の蓄電池３は、前後面３ｃ（前面と後面と）を僅かな間隔を有して対向させ、側面３ａをほぼ面一に揃えた状態で並設される。なお、蓄電池３の側面３ａに配線保護管１０を接続するようにしたのは、蓄電池３の前後面３ｃ（前面または後面）に設けられている制御器４との接続部１２（図３）や、メンテナンス用ブレーカー１３（図２）などとの干渉を避けるためである。そして、斜め下向きとは、接続部１１の中心を通る水平線１４（図４）に対して、接続部１１から離れるに従い低くなるように向かって行く配線保護管１０の中心線の方向のことである。
【００１７】
これにより、配線保護管１０は、一方の蓄電池３の側面３ａの接続部１１から斜め下方へ向けて延び、途中で反転して他方の蓄電池３の側面３ａの接続部１１へ向けて斜め上方へ延びるようにして、水平よりも低い経路を通る。そのため、配線保護管１０は、水平な経路の場合よりも若干長くすることができる。
【００１８】
これを、上方から見ると、図３に示すように、配線保護管１０は、蓄電池３の両側面３ａの接続部１１間に弓なりに曲がった状態で接続されるが、正面から見ると、図４に示すように、配線保護管１０は、蓄電池３の側面３ａの接続部１１からほぼ真っ直ぐ下向きに傾斜するように延ばされ、側方から見ると、図５に示すように、配線保護管１０は、蓄電池３の両側面３ａの接続部１１間を凹状に結ぶように下へ撓められた状態となる。なお、配線保護管１０の下り勾配の形状は、必ずしも、正面から見て直線的なものにする必要はない。
【００１９】
（２）斜め下向きに傾けられた配線保護管１０は、最下部２１が床面２２に接地されても良い。
【００２０】
ここで、配線保護管１０の最下部２１は、配線保護管１０のうちの最も低い位置を通る長手方向の部分における、周方向の最下点または最下位置のことである。この実施例では、配線保護管１０の長手方向の中央部またはその周辺の、周方向の下部が最下部２１となる。配線保護管１０は、少なくとも床面２２に接地できる長さとされる。
【００２１】
床面２２とは、蓄電池３を設置する面（設置面）、または、設置面の周辺を取囲むほぼ水平な面のことである。蓄電池３は、例えば、建物１の内部、例えば、建物１の収納スペースなどに設置することができる。この場合、床面２２は、収納スペースの床などとなる。
【００２２】
接地とは、配線保護管１０が、予め床面２２に対して上から接触した状態となっていることである。配線保護管１０は、床面２２に対して、点（または僅かな面）で接するようにしても良いし、線で接するようにしても良い。配線保護管１０を長めに設定すると、配線保護管１０の最下部２１は、床面２２に対して線接触されるようになる。
【００２３】
（３）図６に示すように、配線保護管１０は、斜めの接続端３１を有しても良い。
【００２４】
ここで、配線保護管１０の接続端３１は、配線保護管１０（の本体４１）の端部に設けられて、蓄電池３の側面３ａの接続部１１に接続される部分のことである。配線保護管１０の接続端３１は、接続部１１に接続するためのコネクタ３２とされる。この、コネクタ３２は、接続部１１に対する取付部（蓄電池取付部３３）と、配線保護管１０（の本体４１）に対する取付部（保護管取付部３４）とを有している。蓄電池取付部３３は、例えば、ねじ込み式のものやワンタッチジョイント式のものなどとすることができる。保護管取付部３４は、例えば、差し込み式などとすることができる。
【００２５】
斜めの接続端３１とは、蓄電池取付部３３（の取付口）の中心線と、保護管取付部３４（の取付口）の中心線とが角度を有していることである。そのために、蓄電池取付部３３と保護管取付部３４との間には、屈曲部３５が設けられる。この屈曲部３５により、蓄電池取付部３３は、保護管取付部３４に対して斜めに傾いたものとなる。この実施例では、屈曲部３５の屈曲角度３６は、例えば、４０°〜５０°の範囲とするのが好ましく、この実施例では、４５°などとされている。但し、屈曲角度３６はこれに限るものではない。なお、接続部１１へのコネクタ３２の取付けの際の、屈曲部３５の周方向の向きは、配線保護管１０の長さや、接続部１１の高さなどの状況に応じて適宜調整する。
【００２６】
（４）配線保護管１０は、蛇腹状になっていても良い（蛇腹状保護管）。
【００２７】
ここで、配線保護管１０の本体４１には、合成樹脂製の可撓管４２などを使用することができる。可撓管４２には、丸断面で蛇腹状をしている柔軟なＣＤ管やＰＦ管などを使用することができる。上記したコネクタ３２は、可撓管４２の接続端３１に取付けられる。
【００２８】
（５）以下、蓄電池３と蓄電池３とを接続する配線９を配線保護管１０で覆う蓄電池３の配線保護管設置方法について説明する。
配線保護管設置方法は、配線保護管１０を、蓄電池３に対し、斜め下向きに傾けて取付けるようにする。
【００２９】
この際、斜め下向きに傾けられた配線保護管１０は、最下部２１を床面２２に接地させるようにしても良い。また、配線保護管１０は、斜めの接続端３１を有しても良い。配線保護管１０（の本体４１）には、蛇腹状のもの（可撓管４２）を使用しても良い。
【００３０】
＜作用＞以下、この実施例の作用について説明する。
【００３１】
制御器４は、太陽光発電装置２で発電した電力を、建物１内で使用したり、蓄電池３へ蓄えたり、電力系統５へ流して売電したりすることができる。また、制御器４は、電力系統５の電力を、建物１内で使用したり、深夜電力などを蓄電池３へ蓄えたりすることができる。
【００３２】
そして、蓄電池３を備えることで、例えば、太陽光発電装置２で昼間に発電した電力を蓄電池３に蓄えておいて太陽光発電装置２が作動しない夜間に使用することができる。これにより、昼夜を問わず太陽光発電装置２で発電した電力を使うことができる。また、太陽光発電装置が悪天候などで昼間に十分な発電ができない場合や停電時などに、蓄電池３に蓄えておいた電力を使用することができる。これにより、太陽光発電装置２の短所を補うことができる。
【００３３】
また、制御器４は、一般分電盤６ａまたは自立用分電盤６ｂを介して照明やコンセントなどに電力を分配することができる。一般分電盤６ａと自立用分電盤６ｂとは、切替開閉器７によって切替えられる。制御器４は、リモコン８によって操作することができる。
【００３４】
＜効果＞この実施例によれば、以下のような効果を得ることができる。
【００３５】
（効果 １）蓄電池３の配線保護管設置構造は、蓄電池３に対し、配線保護管１０を斜め下向きに傾けて取付けられても良い。このように、配線保護管１０を斜め下向きに傾けて取付けることで、配線保護管１０に想定外の物理的な力が加わった場合、例えば、図７に示すように、配線保護管１０の上に物（例えば、本や荷物など）が置かれたり、配線保護管１０が足で踏まれたりしたような場合でも、配線保護管１０に加えられた鉛直下向きの力が斜め下方向へ逃がされると共に、配線保護管１０の床面２２に着くまでの下方への変位量が小さくなるため、配線保護管１０の接続端３１が蓄電池３の接続部１１から外れたり、配線保護管１０が壊れたりすることを抑制でき、配線９が断線され難くすることができる。
【００３６】
これに対し、例えば、図８（ａ）（ｂ）の比較例に示すように、配線保護管１１０を水平に取付けるようにした場合には、配線保護管１１０の上に物１１１が置かれたり、配線保護管１１０が足で踏まれたりすることで、配線保護管１１０には鉛直下向きの力がもろに掛かると共に、配線保護管１１０の床面２２に着くまでの下方への変位量が大きくなるため、配線保護管１１０の端部が蓄電池３の接続部１１から外れたり、配線保護管１１０が壊れたりするおそれがあり、配線９の断線を引起こす原因となる。そのため、比較例の場合には、建物１の内部などに蓄電池３を安定して設置することが難しい。
【００３７】
よって、配線保護管設置構造をこの実施例のようにすることにより、住人によるアクセスが発生し易い場所、例えば、建物１の内部などに対しても、配線９や配線保護管１０を有効に保護できるので、蓄電池３を安心して設置することができる。しかも、蓄電池３に対し、配線保護管１０を予め斜め下向きに傾けて取付けるだけで良いので、構造的に簡単である。なお、蓄電池３を建物１の外部に設置された筐体の内部に隔離状態で収容する場合においても、上記した配線保護管設置構造を適用することができる。
【００３８】
（効果 ２）斜め下向きに傾けられた配線保護管１０は、最下部２１が床面２２に接地しないようにすることもできるが、最下部２１が床面２２に接地されるようにするのが好ましい。このように、斜め下向きに傾けられた配線保護管１０は、最下部２１が床面２２に接地されることで、配線保護管１０に想定外の物理的な力が加わった場合、例えば、配線保護管１０の上に物が置かれたり、配線保護管１０が足で踏まれたりしたような場合に、配線保護管１０に加えられた力を床面２２によって受ける、または、床面２２に分散させることができると共に、配線保護管１０が下方へほとんど変位しなくなるため、配線保護管１０の接続端３１が蓄電池３の接続部１１から外れたり、配線保護管１０が壊れたりすることを抑制でき、配線９が断線することを防止できる。しかも、配線保護管１０の最下部２１が予め床面２２に接地するように、配線保護管１０を取付けるだけで良いので、構造的に簡単である。
【００３９】
（効果 ３）配線保護管１０は、接続端３１を中心線と垂直な取付口を有するものとすることもできるが、斜めの接続端３１を有するものとするのが、配線保護管１０を蓄電池３に対して斜め下向きに傾けて取付けるためには好ましい。このように、配線保護管１０が斜めの接続端３１を有することで、配線保護管１０の接続端３１を蓄電池３の接続部１１に対して斜め下向きに傾けて取付け易くすることができる。
【００４０】
（効果 ４）配線保護管１０は、蛇腹状以外のもの（例えば、硬質樹脂管など）とすることができるが、蛇腹状（の可撓管４２）にするのが好ましい。このように、配線保護管１０が蛇腹状になっていることで、配線保護管１０の強度とフレキシブル性を向上することができる。
【００４１】
（効果 ５）蓄電池３の配線保護管設置方法によれば、上記と同様の作用効果を得ることができる。
【符号の説明】
【００４２】
３    蓄電池
９    配線
１０  配線保護管
２１  最下部
２２  床面
３１  接続端
【図１】
2020173974.tif 000003
【図２】
2020173974.tif 000004
【図３】
2020173974.tif 000005
【図４】
2020173974.tif 000006
【図５】
2020173974.tif 000007
【図６】
2020173974.tif 000008
【図７】
2020173974.tif 000009
【図８】
2020173974.tif 000010